(57)【特許請求の範囲】
【請求項１】
少なくとも化粧プレートと該化粧プレートに取り付けられるドアハンドルとを含むドア施錠装置の開閉を表示する装置であって、上記化粧プレートには表示窓と鍵孔とが設けられ、上記表示窓から「閉」と表示する施錠状態と「開」と表示する解錠状態とを目視できるとともに、略１／４を閉表示部とした表示板を鍵により回動する回動シャフトに、表示錠に適用する場合と間仕切り錠に適用する場合とにおいて位相をずらせて取り付けることにより、間仕切り錠として使用される場合に回動シャフトが鍵により回動されても常に閉表示部以外の開表示部が表示窓に現れることで、表示錠と間仕切り錠とに共通して使用できる施錠表示装置。
【請求項２】
上記表示板を円形とするとともに、位相の変位角が１８０°である請求項１に記載の施錠表示装置。
【請求項３】
上記回動シャフトの頭部には鍵が差し込まれる割溝を設け、上記表示板の略３／４を開表示部とし、上記位相の変位角が１８０°である請求項１に記載の施錠表示装置。
【発明の詳細な説明】
【技術分野】
【０００１】
本発明は、ドアが施錠されているか、解錠されているかを示す表示装置に関する。さらに詳しくは、化粧プレートに設けられた表示窓から施錠状態を「閉」、解錠状態を「開」として表示する施錠表示装置に関する。
【背景技術】
【０００２】
ドアの自由端に取り付けられる施錠装置はドアの種類によって表示錠と間仕切り錠とに大別される。例えば、家庭内のトイレや洗面所、浴室のドアあるいはビル内のオフィスの出入り口ドアに設けられる施錠装置は施錠機能を必要とするため表示錠が設置され、通常、室外側に開口する表示窓を通して施錠状態および解錠状態が表示される。一方、一般家庭の間仕切りに用いられる間仕切り錠は施錠の必要はなく、したがって、表示窓を設ける必要もないため、上記表示錠とは異なって表示窓用の透孔のない化粧プレートが用いられる。
【０００３】
例えば、上記表示錠をオフィスの出入り口に設置する場合は、管理員がひとつ、ひとつのドアハンドルを操作して確認することなく、ドアが施錠されていることを外部から目視により容易に確認することができる。そこで、下記特許文献１には、施錠状態「閉」および解錠状態「開」を色が異なり、発光色も異なる蓄光性夜光塗料入りの表示シートにより構成し、視認性を向上させた表示錠が開示されている。
【特許文献１】特開平１０−８２２１９号公報（第１〜３頁、第１図、第２図）
【発明の開示】
【発明が解決しようとする課題】
【０００４】
上記したように、従来の表示錠と間仕切り錠とは化粧プレートの構造が異なり、構成部品も異なるため、表示錠と間仕切り錠について各々部品を準備する必要があり、また、別工程で組み立てなければならず、手間がかかり、コスト的に有利ではないという問題がある。本発明は、このような問題を解決して、表示錠と間仕切り錠とを少ない工程で、かつ、コストを削減するために部品を共通化し、表示錠と間仕切り錠のいずれにも適用できる施錠表示装置を提供することを、その課題とする。
【課題を解決するための手段】
【０００５】
上記課題を解決するために、本発明においては、つぎのような技術的手段を講じている。すなわち、本発明によれば、少なくとも化粧プレートと該化粧プレートに取り付けられるドアハンドルとを含むドア施錠装置の開閉を表示する装置であって、上記化粧プレートには表示窓と鍵孔とが設けられ、上記表示窓から「閉」と表示する施錠状態と「開」と表示する解錠状態とを目視できるとともに、略１／４を閉表示部とした表示板を鍵により回動する回動シャフトに、表示錠に適用する場合と間仕切り錠に適用する場合とにおいて位相をずらせて取り付けることにより、間仕切り錠として使用される場合に回動シャフトが鍵により回動されても常に閉表示部以外の開表示部が表示窓に現れることで、表示錠と間仕切り錠とに共通して使用できる施錠表示装置が提供される。
【０００６】
上記表示板は円形とされることが好ましい。この円形の表示板を位相をずらせて取り付ける位置はとくに限定されるものではないが、上下を逆にして、すなわち、変位角を１８０°として取り付けることが好ましい。さらに、上記「閉」と表示する方法はとくに限定されず、文字で表してもよいが、視覚に訴えて容易に確認できることから、警戒色である赤色に色付けして上記表示窓に表示することが好ましい。また、「開」の表示は緑色、白色等の安全色で表示することが好ましい。
【発明の効果】
【０００７】
請求項１に記載の発明にかかる施錠表示装置は上記のとおりであり、略１／４を閉表示部とした表示板を鍵により回動する回動シャフトに、表示錠に適用する場合と間仕切り錠に適用する場合とにおいて位相をずらせて取り付けるのみで、工程を別とすることなく、構成部品を共通化し、表示板の組み付け位置を変えることにより、表示錠と間仕切り錠とをコスト的に有利に製造できる。
【０００８】
上記表示板は円形とすることにより、回動シャフトに固定されスムースに回動することができる。また、位相の変位角を１８０°とすることにより、すなわち、表示錠を組み付けるときの表示板の組み付け位置と間仕切り錠を組み付けるときの表示板の組み付け位置とを上下逆にすることにより、表示錠と間仕切り錠とを簡単に効率的に作り分けすることができる。
【０００９】
上記閉表示部の「閉」表示を赤色で表すことにより、上記表示窓から容易に視認することができるため、請求項１に記載の施錠表示装置を表示錠に適用した場合、使用者が出掛けるときに施錠の確認を容易に行うことができる。また、ビル内のオフィスの出入り口に上記表示錠を設置した場合、管理員は廊下側に並んだ化粧プレートの表示窓の赤色表示を見て、視覚により容易にドアが施錠されていることを確認できる。
【発明を実施するための最良の形態】
【００１０】
以下、本発明の実施形態について図面を参照して、詳細に説明する。図１、図２は、本発明にかかる施錠表示装置を表示錠Ａに適用した場合の概略構成を示す分解斜視図である。図１は表示錠Ａを開にした状態を示し、図２は閉にした状態を示す。上記表示錠Ａは金属製、略小判形のベース部材５を備え、中心よりやや上部に回動シャフト２を通す貫通孔５１が設けられるとともに、取付管６１、６２の各一端はベース部材５に固定され、他端はスイング式ドアの自由端側の厚み方向を貫通して室内側に伸びている。上記取付管６１、６２の他端側には図示しないサムターン機構が取り付けられている。
【００１１】
上記ベース部材５はドアの自由端側に固定される金属製、略小判形の化粧プレート３で覆われて一体化し、この化粧プレート３には表示窓３２および鍵孔３１が設けられ、上記貫通孔５１を挿通する回動シャフト２の頭部２ａおよび割溝２ｂは上記鍵孔３１に僅かに突出した状態とされている。また、上記頭部２ａの室内側には、断面Ｄ字形のスリーブ２１が連設され、このスリーブ２１は円形の表示板１の中央部に穿孔されたＤ字形の取付孔１２に嵌挿し、かくして表示板１は回動シャフト２に回動自在に固定される。
【００１２】
上記回動シャフト２の頭部２ａ、割溝２ｂおよびスリーブ２１とこのスリーブ２１に固定された表示板１とは積重されて化粧プレート３とベース部材５との間に収められ、回動シャフト２の軸部は貫通孔５１を通って室内側に伸び、軸部の端部には図示しないサムターン機構が取り付けられる。また、化粧プレート３に取り付けられたドアハンドル４はドアの自由端側の端面に出没自在に設けられた図示しないラッチボルトを操作する。
【００１３】
上記表示板１の表面は４分割して開閉表示部１１ａ、１１ｂ、１１ｃ、１１ｄに区分され、１１ａには例えば、「閉」を示す赤色が色付けされ、１１ｂ、１１ｃ、１１ｄは「開」を示す緑色が色付けされている。図１に示す開状態では表示窓３２には１１ｂが現れ「開」を示す緑色が表示されるため、使用者は出掛けるときは鍵孔３１に鍵を差し込んで図１に示す矢印の方向に回し施錠する。
【００１４】
図２は上記のようにして施錠した状態を示し、図１に示す１１ａが上部となり、使用者は外出に際し、表示窓３２から「閉」を示す赤色を視認することにより施錠を確認することができる。また、例えば、ビル内のオフィスの出入り口ドアに上記表示錠Ａを設置した場合、管理員はひとつ、ひとつのドアハンドル４を操作して確認する必要はなく、視覚により容易にドアが施錠されていることを確認できる。解錠するときは、鍵を上記矢印と逆方向に回せば、図１に示す状態となり、表示窓３２に「開」が表示される。
【００１５】
図３、図４は、本発明にかかる施錠表示装置を間仕切り錠Ｂに適用した場合の概略構成を示す分解斜視図である。図３から明らかなように、上記施錠表示装置を間仕切り錠Ｂに適用したときは、図１に示した表示板１の取り付け位置の位相を１８０°変位して回動シャフト２に取り付けられている。このようにすることによって、単に表示板１の取り付け位置を上下逆にするだけで表示錠Ａと共通の部品で間仕切り錠Ｂを得ることができる。
【００１６】
ところで、間仕切り錠Ｂには本来、鍵孔３１は不要であるが、部品の共通化という観点から、上記のように化粧プレート３には鍵孔３１が設けられている。但し、ドアを施錠する必要はないため上記回動シャフト２の軸部の端部にはサムターン機構は取り付けられていない。しかしながら、上記鍵孔３１があるため使用者は誤って、あるいは習慣上施錠することがある。
【００１７】
例えば、図３に示すように、表示窓３２に１１ｄが現れ「開」を示す緑色が表示されているとき、誤って、施錠方向、すなわち、図３における矢印の方向に鍵を回しても回動シャフト２のみが回動して図４に示すように、表示窓３２には１１ｃが現れ「開」を示す緑色が表示される。また、図３において矢印とは反対方向に回そうとしても図外ロック機構により回動シャフト２の回動が不可とされているため、表示窓３２に１１ｄが現れたまま「開」を示す緑色が表示される。
【００１８】
このように、本発明にかかる施錠表示装置を施錠機能を必要とする表示錠Ａに適用した場合は、施錠状態を「閉」、解錠状態を「開」として表示窓３２に適切に表示し、施錠機能を必要としない間仕切り錠Ｂに上記施錠表示装置を適用したときは、表示窓３２には常に「開」を示す緑色が表示されるため、使用者は戸惑うことなく間仕切り錠Ｂを開閉して部屋を行き来することができる。
【図面の簡単な説明】
【００１９】
【図１】本発明にかかる施錠表示装置を表示錠に適用し「開」を表示したときの概略構成を示す分解斜視図である。
【図２】本発明にかかる施錠表示装置を表示錠に適用し「閉」を表示したときの概略構成を示す分解斜視図である。
【図３】本発明にかかる施錠表示装置を間仕切り錠に適用し「開」を表示したときの概略構成を示す分解斜視図である。
【図４】本発明にかかる施錠表示装置を間仕切り錠に適用し、鍵を閉の方向に回転したにもかかわらず「開」を表示したときの概略構成を示す分解斜視図である。
【符号の説明】
【００２０】
Ａ          本発明にかかる表示錠
Ｂ          本発明にかかる間仕切り錠
１          表示板
１１ａ      「閉」を示す赤色に色付けされた表示部
１１ｂ      「開」を示す緑色に色付けされた表示部
１１ｃ      「開」を示す緑色に色付けされた表示部
１１ｄ      「開」を示す緑色に色付けされた表示部
１２        取付孔
２          回動シャフト
２ａ        頭部
２ｂ        割溝
２１        スリーブ
３          化粧プレート
３１        鍵孔
３２        表示窓
４          ドアハンドル
５          ベース部材
５１        貫通孔
６１        取付管
６２        取付管
【図１】
0004506589.tif 000002
【図２】
0004506589.tif 000003
【図３】
0004506589.tif 000004
【図４】
0004506589.tif 000005